(57)【特許請求の範囲】
【請求項１】
スクリーン吊下装置からスクリーンを表裏入れ替え可能に吊下支持し、前記スクリーンの下端に生地取付部材と防炎ラベルを取着し、前記生地取付部材をウェイトバーの上方に開口する取付溝に挿入して前記スクリーンの下端に前記ウェイトバーを吊下支持する日射遮蔽装置において、
前記防炎ラベルを、前記生地取付部材から下方へ延びるように取着し、
前記スクリーンの第１面を室内側として吊下支持した場合、前記防炎ラベルは、前記生地取付部材から前記第１面に対して裏側の室外側に位置する第２面側に延びて前記ウェイトバー上に露出され、
前記第２面を前記室内側として吊下支持した場合、前記防炎ラベルは、折り返されて、前記生地取付部材の端縁から前記室外側の前記第１面側に延びて前記ウェイトバー上に露出される
ことを特徴とする日射遮蔽装置。
【請求項２】
前記ウェイトバーの取付溝に、前記生地取付部材及び前記生地取付部材に取着した前記スクリーンを表裏入れ替え可能に保持して前記ウェイトバーから上方へ案内する係止突起を設けたことを特徴とする請求項１記載の日射遮蔽装置。
【請求項３】
前記防炎ラベルを、前記ウェイトバーの縁から６．９ｍｍ以上露出させたことを特徴とする請求項１又は２記載の日射遮蔽装置。
【請求項４】
スクリーンと、
前記スクリーンの下端に取着される生地取付部材と、
前記生地取付部材から下方へ延びるように取着された防炎ラベルとを備え、
前記生地取付部材をウェイトバーの上方に開口する取付溝に挿入して前記スクリーンの下端にウェイトバーを取着するに際して、
前記スクリーンの第１面を室内側として吊下支持する場合、前記防炎ラベルが、前記生地取付部材から前記第１面に対して裏側の室外側に位置する第２面側に延びて前記ウェイトバー上に露出され、
前記第２面を前記室内側として吊下支持する場合、前記防炎ラベルが、折り返されて、前記生地取付部材の端縁から前記室外側の前記第１面側に延びて前記ウェイトバー上に露出されるようにした
ことを特徴とする日射遮蔽装置の取り替え用スクリーン。
【請求項５】
スクリーン吊下装置からスクリーンを表裏入れ替え可能に吊下支持し、前記スクリーンの下端に生地取付部材と防炎ラベルを取着し、前記生地取付部材をウェイトバーの上方に開口する取付溝に挿入して前記スクリーンの下端に前記ウェイトバーを吊下支持する日射遮蔽装置の製造方法において、
前記生地取付部材と前記防炎ラベルを、前記防炎ラベルが前記生地取付部材から前記スクリーンの下方へ延びるようにして前記スクリーンの下端に縫製し、
前記スクリーンの第１面を室内側として吊下支持する場合、前記防炎ラベルを、前記生地取付部材から前記第１面に対して裏側の室外側に位置する第２面側に延ばして前記ウェイトバー上に露出させて前記生地取付部材を前記取付溝に挿入し、
前記第２面を前記室内側として吊下支持する場合、前記防炎ラベルを、折り返して、前記生地取付部材の端縁から前記室外側の前記第１面側に延ばして前記ウェイトバー上に露出させて前記生地取付部材を前記取付溝に挿入する
ことを特徴とする日射遮蔽装置の製造方法。
【請求項６】
前記防炎ラベルに表示される防炎の文字を表側にした前記防炎ラベルの端部と前記生地取付部材の上端とを揃え、前記防炎ラベルを前記生地取付部材と前記スクリーンとの間に挟んだ状態で一括して縫製したことを特徴とする請求項５記載の日射遮蔽装置の製造方法。
【請求項７】
スクリーン吊下装置からスクリーンを表裏入れ替え可能に吊下支持し、前記スクリーンの下端に生地取付部材と防炎ラベルを取着し、前記生地取付部材をウェイトバーの上方に開口する取付溝に挿入して前記スクリーンの下端に前記ウェイトバーを吊下支持する日射遮蔽装置において、
前記防炎ラベルは、前記ウェイトバーから露出される長さを有し、
前記防炎ラベルを、前記スクリーンの表面側及び裏面側のいずれかに選択して露出させ
るスリットを前記スクリーンに設けたことを特徴とする日射遮蔽装置。
【発明の詳細な説明】
【技術分野】
【０００１】
この発明は、スクリーンの表裏を入れ替え可能とした日射遮蔽装置、日射遮蔽装置の取り替え用スクリーン及び日射遮蔽装置の製造方法に関するものである。
【背景技術】
【０００２】
ロールブラインドは、サイドブラケットに回転可能に支持された巻取軸からスクリーンが垂下され、巻取軸をスクリーン巻取り方向に回転操作することにより、スクリーンが巻取軸に巻き取られて上昇する。また、巻取軸をスクリーン巻き戻し方向に回転操作することにより、スクリーンが巻取軸から巻き戻されて下降する。
【０００３】
このようなロールブラインドでは、スクリーンの表裏を入れ替えて、部屋の模様替えを図りたいという要望がある。
近年、防災上の観点からスクリーンの防炎化が図られ、このようなスクリーンには消防法で定められた所定の大きさの防炎ラベルをスクリーンの下端部に取着することが義務付けられている。
【０００４】
図１２及び図１３は、防炎ラベルを取着したスクリーンの従来例を示す。スクリーン１の下端には、スクリーン１の幅方向全長に亘って生地押さえ２が縫製Ｈにより取着される。防炎ラベル３は布地を折り返して長方形状に形成され、その下縁をスクリーン１の下縁に揃えた状態でスクリーン１と生地押さえ２との間に挟んだ状態でスクリーン１と一括して縫製される。
【０００５】
従って、防炎ラベル３はスクリーン１の一方の面、通常は裏面側に生地押さえ２から上方へ延びるように取着されている。
図１４及び図１５は、スクリーン１の下端部をウェイトバーに取着した場合の防炎ラベルの状態を示す。防炎ラベル３は、巻取軸から垂下されるスクリーン１の室外側に露出させると、美観上好ましい。
【０００６】
図１４は、スクリーン１の裏面Ｂを室内側とし、表面Ａを室外側として巻取軸から吊下支持し、スクリーン１の下端に取着した生地押さえ２をウェイトバー４の上方に開口する取付溝５に挿入して、ウェイトバー４をスクリーン１の下端に吊下支持した場合を示す。
【０００７】
この場合には、防炎ラベル３は生地押さえ２からスクリーン１の表面Ａ側、すなわち室外側に延びてウェイトバー４上に露出される。
図１５は、図１４と同様な生地厚のスクリーン１を、その表裏を入れ替えて巻取軸から吊下支持した場合を示す。この場合には、防炎ラベル３をスクリーン１の室外側に露出するためには、防炎ラベル３を生地押さえ２の下面に巻回した後に、ウェイトバー４の上方へ露出させる必要がある。
【０００８】
すると、防炎ラベル３の長さが不足してウェイトバー４の上方に露出されず、法令を遵守できなくなる。
【先行技術文献】
【特許文献】
【０００９】
【特許文献１】特開平３−２２１６９３号公報
【特許文献２】実開平３−６３６９２号公報
【特許文献３】登録実用新案第３０５２２３３号公報
【発明の概要】
【発明が解決しようとする課題】
【００１０】
上記のように防炎ラベル３をスクリーン１の下端部に縫製すると、スクリーン１の表裏を入れ替えた場合、防炎ラベル３がウェイトバー４から露出されず、法令を遵守できなくなる場合がある。
【００１１】
特許文献１には、巻取筒から垂下するスクリーンを、巻取筒の前方へ垂下するか後方へ垂下するかを切り替えることにより、スクリーンの表裏を入れ替えるようにしたロールブラインドが開示されている。
【００１２】
このような構成では、一方のストッパ部材近傍に防炎ラベルを取着して、スクリーンの表裏を入れ替えると、防炎ラベルが巻取軸近傍に位置して、居住者から見えなくなることがあり、法令を遵守できなくなる。
【００１３】
特許文献２には、巻取軸の外周面に設けられた係止溝にスクリーンの上端部のビーズ連結部を係止して巻取軸からスクリーンを垂下したロールブラインドが開示されている。このロールブラインドでは、ビーズ連結部を巻取軸の一側に引き抜いてスクリーンをひっくり返し、再度ビーズ連結部を係止溝に挿入すると、スクリーンの表裏を入れ替え可能である。
【００１４】
しかし、スクリーンの表裏を入れ替えると、防炎ラベルが室内側に露出されるため、美観を損ねるという問題点がある。
特許文献３には、表示シートと生地とを別体に形成する構成を、スクリーンを取り外して洗濯可能としたロールブラインドに適用して防炎ラベルをスクリーンに保持すると、スクリーンを洗濯する場合には、スクリーンから防炎ラベルが取り外される。従って、洗濯後に防炎ラベルがスクリーンに正常に取着されない可能性があるので、法令を遵守できない。
【００１５】
この発明の目的は、スクリーンの表裏を入れ替えて吊下支持しても、防炎ラベルをスクリーンの室外側に視認し得る長さで露出可能とした日射遮蔽装置、日射遮蔽装置の取り替え用スクリーン及び日射遮蔽装置の製造方法を提供することにある。
【課題を解決するための手段】
【００１６】
請求項１では、スクリーン吊下装置からスクリーンを表裏入れ替え可能に吊下支持し、前記スクリーンの下端に生地取付部材と防炎ラベルを取着し、前記生地取付部材をウェイトバーの上方に開口する取付溝に挿入して前記スクリーンの下端に前記ウェイトバーを吊下支持する日射遮蔽装置において、前記防炎ラベルを、前記生地取付部材から下方へ延びるように取着し、前記スクリーンの第１面を室内側として吊下支持した場合、前記防炎ラベルは、前記生地取付部材から前記第１面に対して裏側の室外側に位置する第２面側に延びて前記ウェイトバー上に露出され、前記第２面を前記室内側として吊下支持した場合、前記防炎ラベルは、折り返されて、前記生地取付部材の端縁から前記室外側の前記第１面側に延びて前記ウェイトバー上に露出されるようにした。
【００１７】
請求項２では、前記ウェイトバーの取付溝に、前記生地取付部材及び前記生地取付部材に取着した前記スクリーンを表裏入れ替え可能に保持して前記ウェイトバーから上方へ案内する係止突起を設けた。
【００１８】
請求項３では、前記防炎ラベルを、前記ウェイトバーの縁から６．９ｍｍ以上露出させた。
請求項４では、スクリーンと、前記スクリーンの下端に取着される生地取付部材と、前記生地取付部材から下方へ延びるように取着された防炎ラベルとを備え、前記生地取付部材をウェイトバーの上方に開口する取付溝に挿入して前記スクリーンの下端にウェイトバーを取着するに際して、前記スクリーンの第１面を室内側として吊下支持する場合、前記防炎ラベルが、前記生地取付部材から前記第１面に対して裏側の室外側に位置する第２面側に延びて前記ウェイトバー上に露出され、前記第２面を前記室内側として吊下支持する場合、前記防炎ラベルが、折り返されて、前記生地取付部材の端縁から前記室外側の前記第１面側に延びて前記ウェイトバー上に露出されるようにした。
【００１９】
請求項５では、スクリーン吊下装置からスクリーンを表裏入れ替え可能に吊下支持し、前記スクリーンの下端に生地取付部材と防炎ラベルを取着し、前記生地取付部材をウェイトバーの上方に開口する取付溝に挿入して前記スクリーンの下端に前記ウェイトバーを吊下支持する日射遮蔽装置の製造方法において、前記生地取付部材と前記防炎ラベルを、前記防炎ラベルが前記生地取付部材から前記スクリーンの下方へ延びるようにして前記スクリーンの下端に縫製し、前記スクリーンの第１面を室内側として吊下支持する場合、前記防炎ラベルを、前記生地取付部材から前記第１面に対して裏側の室外側に位置する第２面側に延ばして前記ウェイトバー上に露出させて前記生地取付部材を前記取付溝に挿入し、前記第２面を前記室内側として吊下支持する場合、前記防炎ラベルを、折り返して、前記生地取付部材の端縁から前記室外側の前記第１面側に延ばして前記ウェイトバー上に露出させて前記生地取付部材を前記取付溝に挿入する。
請求項６では、前記防炎ラベルに表示される防炎の文字を表側にした防炎ラベルの端部と生地取付部材の上端とを揃え、前記防炎ラベルを前記生地取付部材と前記スクリーンとの間に挟んだ状態で一括して縫製した。
【００２０】
請求項７では、スクリーン吊下装置からスクリーンを表裏入れ替え可能に吊下支持し、前記スクリーンの下端に生地取付部材と防炎ラベルを取着し、前記生地取付部材をウェイトバーの上方に開口する取付溝に挿入して前記スクリーンの下端に前記ウェイトバーを吊下支持する日射遮蔽装置において、前記防炎ラベルは、前記ウェイトバーから露出される長さを有し、前記防炎ラベルを、前記スクリーンの表面側及び裏面側のいずれかに選択して露出させるスリットを前記スクリーンに設けた。
【発明の効果】
【００２１】
本発明によれば、スクリーンの表裏を入れ替えて吊下支持しても、防炎ラベルをスクリーンの室外側に視認し得る長さで露出可能とした日射遮蔽装置、日射遮蔽装置の取り替え用スクリーン及び日射遮蔽装置の製造方法を提供することができる。
【図面の簡単な説明】
【００２２】
【図１】ロールブラインドを示す正面図である。
【図２】ロールブラインドを示す側面図である。
【図３】スクリーンを取着した巻取軸を示す断面図である。
【図４】スクリーンを取着した巻取軸を示す断面図である。
【図５】生地取付部材と防炎ラベルを取着したスクリーンを示す斜視図である。
【図６】生地取付部材と防炎ラベルを取着したスクリーンを示す側面図である。
【図７】スクリーンにウェイトバーを取着した状態での防炎ラベルを示す断面図である。
【図８】スクリーンにウェイトバーを取着した状態での防炎ラベルを示す断面図である。
【図９】スクリーンにウェイトバーを取着した状態での防炎ラベルを示す断面図である。
【図１０】スクリーンにウェイトバーを取着した状態での防炎ラベルを示す断面図である。
【図１１】別例を示す断面図である。
【図１２】従来例を示す斜視図である。
【図１３】従来例を示す側面図である。
【図１４】従来例を示す断面図である。
【図１５】従来例を示す断面図である。
【発明を実施するための形態】
【００２３】
（第一の実施形態）
以下、この発明を具体化した一実施形態を図１〜図１０に従って説明する。図１及び図２に示すロールブラインドは、取付ブラケット１１を介して取付面に固定されるフレーム１２の両端に支持ブラケット１３が取着され、その支持ブラケット１３間に巻取軸１４が回転可能に支持されている。そして、巻取軸１４からスクリーン１５が垂下され、そのスクリーン１５の下端にウェイトバー１６が吊下支持されている。
【００２４】
前記巻取軸１４の一端は操作装置１７を介して前記支持ブラケット１３に支持され、操作装置１７に設けられるプーリーから無端状のボールチェーン１８が垂下されている。そして、ボールチェーン１８の操作により、巻取軸１４を正逆方向に回転操作可能となっている。
【００２５】
ボールチェーン１８を操作して、巻取軸１４をスクリーン巻取り方向に回転させると、巻取軸１４にスクリーン１５が巻き取られてスクリーン１５が上昇する。また、巻取軸１４をスクリーン巻き戻し方向に回転させると、巻取軸１４からスクリーン１５が巻き戻されてスクリーン１５が下降する。
【００２６】
前記巻取軸１４はアルミ押出し形材で形成され、図３及び図４に示すように、その外周面の一側に取付凹部１９が形成されている。
前記取付凹部１９には、底面から径方向外側に突出する係止突条２０が形成され、その係止突条２０の先端部に膨径部２１が形成されている。前記取付凹部１９の一側には巻取軸１４の外周面を延長するように庇部２２が形成されている。
【００２７】
前記スクリーン１５の上端を前記取付凹部１９に保持するための生地押さえ２３は、弾性を有する合成樹脂で前記巻取軸１４とほぼ同様な長さの板状に形成され、その断面基端側に前記膨径部２１を弾性的に嵌合可能とした嵌合溝２４が形成されている。
【００２８】
前記生地押さえ２３の表面は、巻取軸１４の外周面に沿う円弧面に形成され、生地押さえ２３の断面先端側に延びる弾性片２５は、前記庇部２２の下方に挿入可能となっている。
【００２９】
そして、生地押さえ２３の弾性片２５を庇部２２の下方に挿入した状態で、嵌合溝２４を係止突条２０の膨径部２１に嵌合すると、生地押さえ２３の表面は巻取軸１４の外周面の延長線上に位置する。
【００３０】
前記スクリーン１５の上端に取着される生地取付部材２６は、合成樹脂で板状に成形され、その断面基端側に膨径部２７が形成されている。
前記生地取付部材２６の表裏面の一方の面において、前記膨径部２７には前記スクリーン１５の上端部を当接させて位置決め可能とした保持部２８が形成されている。そして、前記スクリーン１５の上端はその端部を保持部２８に当接させた状態で生地取付部材２６に縫製Ｈにより取着されている。
【００３１】
上記のような生地押さえ２３及び生地取付部材２６を使用すると、図３及び図４に示すように、スクリーン１５の上端を巻取軸１４に取着可能であるとともに、巻取軸１４から垂下されるスクリーン１５の表裏を入れ替え可能である。
【００３２】
すなわち、スクリーン１５を取着した生地取付部材２６を、スクリーン１５が生地取付部材２６の下方となるように取付凹部１９内に挿入し、その状態で生地押さえ２３の弾性片２５を取付凹部１９の庇部２２の下方に挿入して、嵌合溝２４を係止突条２０の膨径部２１に嵌合する。
【００３３】
すると、図３に示すように、例えば室内側にスクリーン１５の裏面Ｂが露出され、室外側に表面Ａが露出される。
また、スクリーン１５を取着した生地取付部材２６を、スクリーン１５が生地取付部材２６の上方となるように取付凹部１９内に挿入し、その状態で生地押さえ２３の弾性片２５を取付凹部１９の庇部２２の下方に挿入して、嵌合溝２４を係止突条２０の膨径部２１に嵌合する。
【００３４】
すると、図４に示すように、例えば室内側にスクリーン１５の表面Ａが露出され、室外側に裏面Ｂが露出される。
図５及び図６に示すように、前記スクリーン１５の下端には、生地取付部材２９と防炎ラベル３０が取着されている。前記生地取付部材２９は、スクリーン１５の上端に取着される生地取付部材２６と同様な構成である。そして、スクリーン１５の下端はその端部を保持部３１に当接させた状態で生地取付部材２９に縫製Ｈにより取着されている。
【００３５】
前記防炎ラベル３０は、布地を２つ折りにして「防炎」の文字の天地がウェイトバー１６の長手方向となるように表面に表示される状態で長方形状に形成されるとともに、その上縁を生地取付部材２９の上縁に揃え、スクリーン１５と生地取付部材２９との間に挟んだ状態でスクリーン１５と一括して縫製される。従って、防炎ラベル３０は生地取付部材２９から下方へ延びるように取着されている。
【００３６】
前記ウェイトバー１６はアルミ押出し形材で形成され、その上部には上方へ開口した取付溝３２が形成されている。また、前記取付溝３２の開口部から下方へ突出すると突起と、その突起に対向する取付溝３２に形成される係止突起３５とで、スクリーン１５を取着した生地取付部材２６を表裏方向に入れ替え可能に保持可能となっている。
【００３７】
そして、例えば図７に示すようにスクリーン１５の下端に取着した生地取付部材２９を取付溝３２内に挿入すると、スクリーン１５の下端にウェイトバー１６が吊下支持される。
【００３８】
前記ウェイトバー１６の室外側の側面には、軟質合成ゴムで形成されたダンパー３３がウェイトバー１６の全長に亘って取着され、スクリーン１５の引き上げ操作時のウェイトバー１６と前記フレーム１２との衝突による騒音を防止するようになっている。
【００３９】
そして、ウェイトバー１６の上縁とダンパー３３の上縁との間に形成される開口部３４からウェイトバー１６の上方へ、前記スクリーン１５及び防炎ラベル３０を案内可能となっている。
【００４０】
次に、上記のように生地取付部材２９に取着された防炎ラベル３０の作用を説明する。
図７〜図１０は、スクリーン１５の下端部をウェイトバー１６に取着した場合の防炎ラベル３０の状態を示す。防炎ラベル３０は、巻取軸１４から垂下されるスクリーン１５の室外側に露出させると、美観上好ましい。
【００４１】
図７は、スクリーン１５を巻取軸１４からその表面Ａを室内側として吊下支持し、スクリーン１５の下端に取着した生地取付部材２９を取付溝３２内に挿通して、スクリーン１５の下端にウェイトバー１６を吊下支持した場合を示す。
【００４２】
この場合には、防炎ラベル３０は生地取付部材２９からスクリーン１５の裏面Ｂ側に延びてウェイトバー１６上に露出される。
図８は、スクリーン１５の生地厚が図７に示すスクリーン１５より厚くなった場合を示す。この場合には、生地厚の差により取付溝３２の内周面に対する生地取付部材２９の係合位置が、図７に示す場合より下方となるので、ウェイトバー１６から上方へ露出する防炎ラベル３の長さが若干長くなる。
【００４３】
図９は、図７と同様な生地厚のスクリーン１５を、その表裏を入れ替えて巻取軸１４から吊下支持し、この状態で生地取付部材２９をウェイトバー１６の取付溝３２内に挿入した場合を示す。この場合には、防炎ラベル３０をスクリーン１５の室外側に露出するためには、生地取付部材２９に取着された防炎ラベル３０を折り返して、生地取付部材２９の端縁から開口部３４を経てスクリーン１５の室外側に露出させている。
【００４４】
従って、図７に示す場合に比して、ウェイトバー１６から上方に露出される防炎ラベル３０の長さは、ほぼ生地取付部材２９の幅に相当する長さだけ短くなるが、防炎ラベル３０として認識し得る充分な長さが露出される。
【００４５】
充分な長さとは、「防炎」の文字がウェイトバー１６から露出する長さで、この実施例では８．７ｍｍ以上である。
図１０は、図８と同様な生地厚のスクリーン１５を、その表裏を入れ替えて巻取軸１４から吊下支持した場合を示す。この場合には、防炎ラベル３０をスクリーン１５の室外側に露出するためには、図９に示す場合と同様に、生地取付部材２９に取着された防炎ラベル３０を折り返して、生地取付部材２９の端縁から開口部３４を経てスクリーン１５の室外側に露出させている。
【００４６】
この場合にも、図８に示す場合に比して、ウェイトバー１６から上方に露出される防炎ラベル３０の長さは、ほぼ生地取付部材２９の幅に相当する長さ及び生地厚の差に相当する長さ分だけ短くなるが、防炎ラベル３０として認識し得る充分な長さが露出される。
【００４７】
充分な長さとは、「防炎」の文字がウェイトバー１６から露出する長さで、この実施例では６．９ｍｍ以上である。
上記のように構成されたロールブラインドでは、次に示す効果を得ることができる。
（１）スクリーン１５の表裏を入れ替えて吊下支持しても、防炎ラベル３０をスクリーン１５の室外側に該防炎ラベル３０を視認可能とした充分な長さで露出させることができる。
（２）スクリーン１５と防炎ラベル３０を、縫製により生地取付部材２９に一括して取着することができる。
（第二の実施形態）
図１１は、第二の実施形態を示す。この実施形態は、スクリーン１５に防炎ラベル３０を挿通可能としたスリット３６を設けたものである。このような構成により、スクリーン１５の表裏を入れ替えることにより、防炎ラベル３０がウェイトバー１６からスクリーン１５の室内側に露出されるとき、生地取付部材２９の下面を巻回することなく、室内側からスリット３６を経てスクリーン１５の室外側に案内することができる。
【００４８】
上記実施形態は、以下の態様で実施してもよい。
・防炎ラベルを生地取付部材あるいはスクリーンの生地に熱溶着あるいは接着剤で取着してもよい。
・防炎ラベルを、生地取付部材に対し、スクリーンの取付面とは反対側の面に取着してもよい。
・防炎ラベルと生地取付部材との間にスクリーンを挟んだ状態で縫製してもよい。
・上記のような防炎ラベルと生地取付部材及びウェイトバーを備えたスクリーンをパネルカーテンに使用してもよい。
・スクリーンの下端にウェイトバーと防炎シールを取着した取替え用スクリーンに実施することもできる。
・洗濯できないスクリーンに対し、上記のような防炎ラベル及び生地取付部材を取着してもよい。
・第二の実施形態のスリット３６の幅は、防炎ラベル３０のウェイトバー長手方向の幅と同一であればよい。
・スリット３６の高さは、スクリーン１５に切り込みを入れるだけでもよい。また、防炎ラベル３０の厚みと同様の高さとしてもよい。
【符号の説明】
【００４９】
１４…スクリーン吊下装置（巻取軸）、１５…スクリーン、１６…ウェイトバー、２９…生地取付部材、３０…防炎ラベル。
【図１】
0005855369.tif 000002
【図２】
0005855369.tif 000003
【図３】
0005855369.tif 000004
【図４】
0005855369.tif 000005
【図５】
0005855369.tif 000006
【図６】
0005855369.tif 000007
【図７】
0005855369.tif 000008
【図８】
0005855369.tif 000009
【図９】
0005855369.tif 000010
【図１０】
0005855369.tif 000011
【図１１】
0005855369.tif 000012
【図１２】
0005855369.tif 000013
【図１３】
0005855369.tif 000014
【図１４】
0005855369.tif 000015
【図１５】
0005855369.tif 000016